(57)【要約】      （修正有）【課題】マルチメディア装置の保護カバー構造を提供する。【解決手段】第１の保護片１０と、マルチメディア装置搭載用の第２の保護片１２と、接続部とを備える、マルチメディア装置の保護カバー構造１において、接続部１４は、第１の保護片と第２の保護片との間に接続され、第１の保護片は、接続部を介して第２の保護片に折り返し可能に接続される。接続部には、無線イヤホン３を磁気的に吸引するための磁気素子１４４を有するイヤホン収容溝１４２が設けられている。これにより、無線イヤホンがイヤホン収容溝に近づいた場合に磁気素子が無線イヤホンがイヤホン収容溝に収容され位置決めされるように無線イヤホンを磁気的に吸引する。【選択図】図１
0003168663.tif 000002
【実用新案登録請求の範囲】
【請求項１】
第１の保護片と、
マルチメディア装置搭載用の第２の保護片と、
前記第１の保護片と前記第２の保護片との間に接続された接続部と、
を備え、
前記第１の保護片は、前記接続部を介して第２の保護片に折り返し可能に接続され、前記接続部には、磁気素子を有する無線イヤホンを収容するためのイヤホン収容溝が設けられていることを特徴とするマルチメディア装置の保護カバー構造。
【請求項２】
前記第２の保護片は、前記マルチメディア装置搭載用の搭載構造をさらに備えることを特徴とする請求項１に記載のマルチメディア装置の保護カバー構造。
【請求項３】
前記保護カバー構造は、マルチメディア装置を被覆するための折り返しカバーであることを特徴とする請求項１に記載のマルチメディア装置の保護カバー構造。
【請求項４】
第１の保護片と、
マルチメディア装置に電気的に接続するための電気接続ポートが設けられた第２の保護片と、
前記第１の保護片と前記第２の保護片との間に接続された接続部と、
を備え、
前記第１の保護片は、前記接続部を介して第２の保護片に折り返し可能に接続され、前記接続部には、電気接続点と磁気素子とを有するイヤホン収容溝が設けられ、前記電気接続点は、前記第２の保護片の電気接続ポートにカップリングされ、前記イヤホン収容溝は、前記電気接続点に電気的に接続された無線イヤホンを収容することを特徴とするマルチメディア装置の保護カバー構造。
【請求項５】
前記第２の保護片には前記電気接続点と前記電気接続ポートとの間に接続された印刷回路が埋設されていることを特徴とする請求項４に記載のマルチメディア装置の保護カバー構造。
【請求項６】
前記印刷回路は、前記電気接続点と前記電気接続ポートとの間に接続され、前記電気接続ポートからの給電に基づいて前記電気接続点に接続された前記無線イヤホンに対して充電を行うための充電ユニットをさらに備えることを特徴とする請求項５に記載のマルチメディア装置の保護カバー構造。
【請求項７】
前記第１の保護片上には、スピーカーがさらに設けられていることを特徴とする請求項５に記載のマルチメディア装置の保護カバー構造。
【請求項８】
前記スピーカは、前記印刷回路に電気的に接続されることを特徴とする請求項７に記載のマルチメディア装置の保護カバー構造。
【請求項９】
前記印刷回路は、前記無線イヤホンが前記イヤホン収容溝に収容された場合に駆動信号を出力するための判定ユニットを備えることを特徴とする請求項８に記載のマルチメディア装置の保護カバー構造。
【請求項１０】
前記印刷回路は、前記判定ユニット及び前記スピーカーに電気的に接続され、前記駆動信号によって制御され、前記スピーカー及び前記電気接続ポートを導通するための切り換えユニットをさらに備えることを特徴とする請求項９に記載のマルチメディア装置の保護カバー構造。
【請求項１１】
前記印刷回路は、前記切り換えユニットと前記スピーカーとの間に接続された増幅器をさらに備えることを特徴とする請求項１０に記載のマルチメディア装置の保護カバー構造。
【請求項１２】
前記第２の保護片は、前記マルチメディア装置収容用の搭載構造をさらに備えることを特徴とする請求項４に記載のマルチメディア装置の保護カバー構造。
【考案の詳細な説明】
【技術分野】
【０００１】
本考案は、マルチメディア装置の保護カバー構造に関し、特にマルチメディア装置及び無線イヤホンを収容するための保護カバー構造に関するものである。
【背景技術】
【０００２】
現在、マルチメディア装置、例えばタブレット型パソコン（Ｔａｂｌｅｔ  ＰＣ）やスマートフォーン（Ｓｍａｒｔｐｈｏｎｅ）が幅広く使用されているが、それらは衝撃による損傷を回避や携帯の容易性を図るために、専用の保護カバーに収容されている。
【０００３】
上述した保護カバーは、保護効果のためにマルチメディア装置のみを被覆するものであるが、マルチメディア装置以外の重要付属品、例えば無線イヤホンに対しては同時に被覆することができず、これらの付属品に対する保護の効果を達成することができない。また、無線イヤホン等の付属品は、通常マルチメディア装置とは別に置かれるため、ユーザがマルチメディア装置を使用する場合に無線イヤホンを即時に準備することができず、使用上の不便がある。
【０００４】
また、無線イヤホンでマルチメディア装置から無線受信により電話の着信や音楽の受信を行なう場合、一人のユーザしか電話や音楽を受信することができず、第三者やより多くの人が同時に通話や音楽の受信を行なうことが不可能である。
【考案の概要】
【考案が解決しようとする課題】
【０００５】
上記の課題に鑑みて、本考案に係るマルチメディア装置の保護カバー構造は、マルチメディア装置の被覆のみならず、マルチメディア装置に合わせて使用する無線イヤホンを被覆することができ、これにより、マルチメディア装置を使用する場合に無線イヤホンを速やかかつ容易に準備することができる。
【課題を解決するための手段】
【０００６】
本考案の一つの実施例において、本考案に係るマルチメディア装置の保護カバー構造は、第１の保護片、第２の保護片及び接続部を備える。第２の保護片は、マルチメディア装置を搭載し、接続部は、第１の保護片と第２の保護片との間に接続される。第１の保護片は、接続部を介して第２の保護片に折り返し可能に接続され、接続部には、無線イヤホンを磁気的に吸引するための磁気素子を有するイヤホン収容溝が設けられている。これにより、おり、無線イヤホンがイヤホン収容溝に近づいた場合に磁気素子が無線イヤホンを磁気的に吸引し、は、磁気素子は、無線イヤホンがイヤホン収容溝に収容されて位置決めされるように無線イヤホンを磁気的に吸引する。
本考案の他の実施例において、本考案に係るマルチメディア装置の保護カバー構造は、第１の保護片、第２の保護片及び接続部を備える。第２の保護片には、マルチメディア装置に電気的に接続するための電気接続ポートが設けられている。接続部は、第１の保護片と第２の保護片との間に接続される。第１の保護片は、接続部を介して第２の保護片に折り返し可能に接続され、接続部には、電気接続点と磁気素子とを有するイヤホン収容溝が設けられている。電気接続点は、第２の保護片の電気接続ポートにカップリングされる。、磁気素子は、無線イヤホンを磁気的に吸引する。これにより、無線イヤホンがイヤホン収容溝に近づいた場合に、は、磁気素子は、無線イヤホンが無線イヤホンを磁気的に吸引し、これにより無線イヤホンがイヤホン収容溝に収容され位置決めされるとともに電気接続点に電気的に接続されるように無線イヤホンを磁気的に吸引する。
【考案の効果】
【０００７】
上述のように、本考案に係るマルチメディア装置の保護カバー構造は、マルチメディア装置のみならず、当該装置に合わせて使用する無線イヤホンを被覆することが可能となるため、マルチメディア装置と無線イヤホンとは一体的に構成され、ユーザの使用上の利便性を向上することができる。また、本考案に係るマルチメディア装置の保護カバー構造は、マルチメディア装置と無線イヤホンとの間の電気的な接続関係を提供し、これによりマルチメディア装置が無線イヤホンに対して充電又は信号の伝送を行うことができる。
【０００８】
以下、本考案の特徴及び技術内容をより理解できるように、本考案に係る詳細な説明及び図面に基づいて説明するが、これらの説明及び図面は本考案を説明するためのものであり、本考案の権利範囲を局限するものではない。
【図面の簡単な説明】
【０００９】
【図１】本考案の実施例に係るマルチメディア装置の保護カバー構造を模式的に示した図である。
【図２】本考案の他の実施例に係るマルチメディア装置の保護カバー構造を模式的に示した図である。
【図３】本考案のさらに他の実施例に係るマルチメディア装置の保護カバー構造を模式的に示した図である。
【図４】本考案の実施例に係る回路ブロックを模式的に示した図である。
【図５】本考案のさらにまた他の実施例に係るマルチメディア装置の保護カバー構造を模式的に示した図である。
【考案を実施するための形態】
【００１０】
図１は、本考案の実施例に係るマルチメディア装置の保護カバー構造を模式的に示した図である。保護カバー構造１には、パーソナル・デジタル・アシスタント（ＰＤＡ）、タブレット型パソコン、スマートフォーン等のマルチメディア装置２が組み合わせられ、マルチメディア装置２の表面を保護するためのものである。また、保護カバー構造１は、マルチメディア装置２に合わせて使用する無線イヤホン３と組み合わせることで、無線イヤホン３に対する保護効果を達成することができる。
【００１１】
図１に示すように、保護カバー構造１は、第１の保護片１０、第２の保護片１２及び接続部１４を備える。第２の保護片１２は、マルチメディア装置２が第２の保護片１２上に載置できるようマルチメディア装置２を搭載するための搭載構造１２０を備える。接続部１４は、第１の保護片１０と第２の保護片１２との間に接続され、第１の保護片１０は、接続部１４を介して第２の保護片１２に向けて折り返し可能に接続される。つまり、保護カバー構造１は、マルチメディア装置２を被覆するための折り返しカバーである。
【００１２】
接続部１４には、無線イヤホン３を磁気的に吸引するための磁気素子１４４を有するイヤホン収容溝１４２が設けられている。イヤホン収容溝１４２は、無線イヤホン３を収容するとともに無線イヤホン３をその中に位置決めするための開口溝であって、無線イヤホン３は、イヤホン収容溝１４２に分離可能に載置される。
【００１３】
さらに詳しくは、無線イヤホン３がイヤホン収容溝１４２に近づいた場合に、イヤホン収容溝１４２における磁気素子１４４が無線イヤホン３を磁気的に吸引し、これにより無線イヤホン３をイヤホン収容溝１４２に速やかに収容し位置決めさせることができる。言い換えれば、イヤホン収容溝１４２における磁気素子１４４の磁気吸引効果によりイヤホン収容溝１４２に近づいた無線イヤホン３を磁気的に吸引し、無線イヤホン３をイヤホン収容溝１４２に速やかに収容し位置決めさせることができる。
【００１４】
磁気素子１４４は、接着、締結等によりイヤホン収容溝１４２に設けられてもよいが、本考案はこれに限定されず、磁気素子１４４をイヤホン収容溝１４２に固定できる方法であればよい。本考案の実施例に係る磁気素子１４４は、磁気粉体を粉末冶金製造工程により一体的に焼結してなるものであってよい。しかしながら、本考案の実施例に係る磁気素子１４４は、それらの材料に限定されず、磁気吸引力を有する材料であればよい。
【００１５】
上述のように、本実施例に係る保護カバー構造１は、マルチメディア装置２及びマルチメディア装置２に合わせて使用する無線イヤホン３を被覆することにより、マルチメディア装置２と無線イヤホン３とを保護カバー構造１において一体的に構成させ、ユーザの使用上の利便性を向上させることができる。
【００１６】
図１に合わせて図２を参照して、図２は、本考案の他の実施例に係るマルチメディア装置の保護カバー構造を模式的に示した図である。図１に示す保護カバー構造１と比較すると、図２に示す保護カバー構造１’は、イヤホン収容溝１０２が第１の保護片１０上に設けられており、イヤホン収容溝１０２には無線イヤホン３を磁気的に吸引するための磁気素子１０４が設けられている。図２に示すイヤホン収容溝１０２は、無線イヤホン３を収容するとともに無線イヤホン３をその中に位置決めるするための開口溝である。このように、無線イヤホン３は、イヤホン収容溝１４２に分離可能に載置される。
【００１７】
さらに詳しく説明すると、無線イヤホン３がイヤホン収容溝１０２に近づいた場合にイヤホン収容溝１０２における磁気素子１０４が無線イヤホン３を磁気的に吸引し、これにより無線イヤホン３をイヤホン収容溝１０２に速やかに収容し位置決めさせることができる。言い換えれば、イヤホン収容溝１０２における磁気素子１０４の磁気吸引効果によりイヤホン収容溝１０２に近づいた無線イヤホン３を磁気的に吸引し、無線イヤホン３をイヤホン収容溝１０２に速やかに収容し位置決めさせることができる。
【００１８】
図３は、本考案のさらに他の実施例のマルチメディア装置の保護カバー構造を模式的に示した図である。図３を参照して、保護カバー構造４は、第１の保護片４０、第２の保護片４２及び接続部４４を備える。第２の保護片４２は、マルチメディア装置２を搭載するための搭載構造４２０を有し、マルチメディア装置２を第２の保護片４２上に搭載することができる。また、保護カバー構造４上には、マルチメディア装置２に電気的に接続するための電気接続ポート４２２がさらに設けられている。また、接続部４４は、第１の保護片４０と第２の保護片４２との間に接続され、第１の保護片４０は、接続部４４を介して第２の保護片４２に折り返し可能に接続される。つまり、保護カバー構造４は、マルチメディア装置２を被覆するための折り返しカバーである。
【００１９】
接続部４４には磁気素子４４４及び電気接続点４４６を有するイヤホン収容溝４４２が設けられ、磁気素子４４４は、無線イヤホン３を磁気的に吸引し、電気接続点４４６は、第２の保護片４２上の電気接続ポート４２２にカップリングされるとともにイヤホン収容溝４４２に収容された無線イヤホン３に電気的に接続される。さらに詳しく説明すると、イヤホン収容溝４４２は、無線イヤホン３を収容するとともに無線イヤホン３をその中に位置決めするための開口溝であり、無線イヤホン３は、イヤホン収容溝４４２に分離可能に載置される。
【００２０】
無線イヤホン３がイヤホン収容溝４４２に近づいた場合に磁気素子４４４は、無線イヤホン３を磁気的に吸引し、無線イヤホン３がイヤホン収容溝４４２に収容され位置決めされるとともにイヤホン収容溝４４２における電気接続点４４６に電気的に接続される。
【００２１】
第２の保護片４２には、電気接続点４４６と電気接続ポート４２２とが電気的に接続されるように、イヤホン収容溝４４２における４４６及び第２の保護片４２上の電気接続ポート４２２に電気的に接続された印刷回路４６が埋設されている。該印刷回路４６は、リジッドプリント回路板（Ｒｉｇｉｄ  ＰＣＢ）、フレキシブル（折り曲げ可能）プリント回路板（Ｆｌｅｘｉｂｌｅ  ＰＣＢ）又はビルドアッププリント回路板（Ｂｕｉｌｔ−ｕｐ  ＰＣＢ）であってよい。
【００２２】
図４は、本考案の実施例に係る回路ブロックを模式的に示した図である。図３及び図４を参照して、印刷回路４６は、電気接続点４４６と電気接続ポート４２２との間に電気的に接続された充電ユニット４６６をさらに備える。充電ユニット４６６は、電気接続ポート４２２からの給電に基づいて電気接続点４４６に接続された無線イヤホン３に対して充電を行う。詳しく説明すると、マルチメディア装置２が第２の保護片４２に載置されるとともに電気接続ポート４２２に電気的に接続された場合に、充電ユニット４６６は、電気接続ポート４２２を介してマルチメディア装置２からの給電を取得することができる。充電ユニット４６６は、マルチメディア装置２からの給電に基づいて、電気接続点４４６を介して無線イヤホン３に対して充電を行う。該マルチメディア装置２は、電源アダプター（ａｄａｐｔｅｒ）から必要とする電力を取得することもできる。前記電源アダプターは従来技術であるため、ここでは詳しい説明を省略する。
【００２３】
保護カバー構造４の第１の保護片４０上には、第２の保護片４２における印刷回路４６に電気的に接続されたスピーカー４８がさらに設けられている。マルチメディア装置２が第２の保護片４２上に載置されるとともに電気接続ポート４２２に電気的に接続された場合に、マルチメディア装置２は、電気接続ポート４２２及び印刷回路４６を介して着信した通話又は音楽の信号をスピーカー４８に伝送し、音声の出力を行う。
【００２４】
印刷回路４６は、イヤホン収容溝４４２における電気接続点４４６に電気的に接続された判定ユニット４６２と、判定ユニット４６２及びスピーカー４８に電気的に接続された切り換えユニット４６４とを備える。判定ユニット４６２は、無線イヤホン３がイヤホン収容溝４４２に収容された場合に駆動信号Ｓ１を切り換えユニット４６４に出力し、切り換えユニット４６４は、駆動信号Ｓ１によって制御され、スピーカー４８と電気接続ポート４２２との間の導通ルートとして用いられる。
【００２５】
無線イヤホン３がイヤホン収容溝４４２に収容された場合に、電気接続ポート４２２に接続されたマルチメディア装置２は、スピーカー４８を介して着信した通話又は音楽の信号の音声出力を行うことができる。逆に、無線イヤホン３がイヤホン収容溝４４２に収容されなかった場合には、切り換えユニット４６４は、スピーカー４８と電気接続ポート４２２との間の導通ルートを切断し、マルチメディア装置２がスピーカー４８を介して着信した通話又は音楽の信号の出力を行うことを切断する。
【００２６】
言い換えれば、無線イヤホン３がイヤホン収容溝４４２に収容されなかった場合には、無線イヤホン３とイヤホン収容溝４４２とは分離状態となっており、このとき、マルチメディア装置２は、無線伝送技術を介して着信した通話又は音楽の信号を無線イヤホン３に伝送する。マルチメディア装置２と無線イヤホン３との間の無線伝送技術は、Ｗｉ−Ｆｉ、ブルートゥース（Ｂｌｕｅｔｏｏｔｈ）、超広帯域（Ｕｌｔｒａ−ｗｉｄｅｂａｎｄ、ＵＷＢ）、デジタル高度化コードレス遠隔通信（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ、ＤＥＣＴ）等の無線伝送技術でよい。
【００２７】
また、マルチメディア装置２からの着信した通話又は音楽の信号は、さらに印刷回路４６における増幅器４６５を介して信号の増幅を行い、増幅された信号をスピーカー４８に伝送することにより音声の出力を行うことができる。前述した増幅器４６５は、切り換えユニット４６４とスピーカー４８との間に接続され、着信した通話又は音楽の信号を増幅する。
【００２８】
図５は、本考案のさらに他の実施例のマルチメディア装置の保護カバー構造を模式的に示した図である。図３に合わせて図５を参考して、図３の保護カバー構造４と比較すると、図５に示す保護カバー構造４’は、イヤホン収容溝４０２が第１の保護片４０上に設けられ、イヤホン収容溝４０２における磁気素子４０４が無線イヤホン３を磁気的に吸引し、電気接続点４０６が第２の保護片４２の電気接続ポート４２２にカップリングされるとともにイヤホン収容溝４０２に収容された無線イヤホン３に電気的に接続される。図５に示すイヤホン収容溝４０２は、無線イヤホン３を収容するとともに無線イヤホン３をその中に位置決めするための開口溝であり、無線イヤホン３は、イヤホン収容溝４０２に分離可能に載置される。
【００２９】
上述のように、本考案の実施例に係る保護カバー構造４、４’は、マルチメディア装置２と無線イヤホン３とを一体的に被覆するのみならず、マルチメディア装置２と無線イヤホン３とを電気的に接続させることにより、マルチメディア装置２が無線イヤホン３に対して充電を行うことができる。また、保護カバー構造４、４’は、さらにマルチメディア装置２とスピーカー４８とを電気的に接続させることにより、マルチメディア装置２がスピーカー４８を介して着信した通話又は音楽の信号の音声出力することができる。さらに、保護カバー構造４、４’は、無線イヤホン３が収容されているかどうかの判定結果に基づいてマルチメディア装置２からの着信した通話又は音楽の信号の出力ルートを切り換えることができる。
【００３０】
上述したものは、本考案の好ましい具体的実施例の詳細説明や図面に過ぎず、所属する技術分野において通常知識を有する者により本考案の主旨を逸脱しない範囲で種々に修正や変更されることが可能であり、そうした修正や変更は、本考案の特許請求の範囲に入るものである。
【符号の説明】
【００３１】
１、１’、４、４’  保護カバー構造
２  マルチメディア装置
３  無線イヤホン
１０、４０  第１の保護片
１２、４２  第２の保護片
１２０、４２０  搭載構造
１４、４４  接続部
１４２、１０２、４４２、４０２  イヤホン収容溝
１４４、１０４、４４４、４０４  磁気素子
４４６、４０６  電気接続点
４２２  電気接続ポート
４６  印刷回路
４６２  判定ユニット
４６４  切り換えユニット
４６５  増幅器
４６６  充電ユニット
４８  スピーカー
Ｓ１  駆動信号
【図１】
0003168663.tif 000003
【図２】
0003168663.tif 000004
【図３】
0003168663.tif 000005
【図４】
0003168663.tif 000006
【図５】
0003168663.tif 000007